(57)【特許請求の範囲】
【請求項１】
ＨＶＤＣ内での送電端と受電端側の電力損失を測定するためのシステムであって、
送電端側に構成される第１損失測定手段と、
受電端側に構成される第２損失測定手段を含み、
前記第１及び第２損失測定手段のそれぞれは、
ＨＶＤＣ内で電流又は電圧が測定可能な位置に装着され、電圧を測定するための電圧センサと、電流を測定するための電流センサと、
前記電圧センサ及び電流センサによる測定が行われる時刻情報を提供するためのＧＰＳモジュールと、
前記電圧センサによって測定された電圧値と前記電流センサによって測定された電流値と前記時刻情報と前記第１及び第２損失測定手段を区分する識別情報とが一緒に貯蔵される貯蔵部と、
メイン制御手段とデータ通信を可能にする通信モジュールと、
を含み、
前記メイン制御手段は、前記第１及び第２損失測定手段の識別情報を有し、
前記第１及び第２損失測定手段は、前記通信モジュールを利用して周期的に測定される電流値及び電圧値と一緒に前記時刻情報を前記メイン制御手段に伝送するＨＶＤＣの損失測定システム。
【請求項２】
前記ＨＶＤＣはターン（ｔｕｒｎ）比に応じて電圧を変換する送電端側変圧器及び受電端側変圧器と、前記送電端側電圧器の入力端に設けられるスイッチング素子である送電端側変圧器開閉器と、前記受電端側電圧器の出力端に設けられるスイッチング素子である受電端側変圧器開閉器を含み、
前記第１損失測定手段は前記送電端側変圧器開閉器の入力端に連結され、前記第２損失測定手段は前記受電端側変圧器開閉器の出力端に連結される、請求項１に記載のＨＶＤＣの損失測定システム。
【請求項３】
前記ＨＶＤＣは高周波成分を除去するための送電端側高周波フィルタ及び受電端側高周波フィルタと、前記送電端側高周波フィルタの入力端に設けられるスイッチング素子である送電端側フィルタ開閉器と、前記受電端側高周波フィルタの出力端に設けられるスイッチング素子である受電端側フィルタ開閉器を含み、
前記第１損失測定手段は前記送電端側フィルタ開閉器の入力端に連結され、前記第２損失測定手段は前記受電端側フィルタ開閉器の出力端に連結される、請求項１に記載のＨＶＤＣの損失測定システム。
【請求項４】
前記ＨＶＤＣは送電端と受電端のサイリスタバルブを連結する送電線路と、グランド電圧が印加されるグランド線路を含み、
前記第１及び第２損失測定手段は前記送電線路とグランド線路をそれぞれ連結するように構成され、前記第１損失測定手段は送電端サイリスタバルブ側に設けられ、前記第２損失測定手段は受電端サイリスタバルブ側に設けられる、請求項１に記載のＨＶＤＣの損失測定システム。
【請求項５】
前記送電端側変圧器の入力に連結される送電端側損失測定手段と、
前記受電端側変圧器の出力に連結される受電端側損失測定手段を更に含み含む、請求項１に記載のＨＶＤＣの損失測定システム。
【請求項６】
電力を受電端に伝達する送電端に構成される送電端側変圧器と、
前記変圧器から出力される電圧を変換する送電端側サイリスタバルブと、
前記送電端側変圧器と並列に連結され、前記電力の高周波成分を除去する送電端側高周波フィルタと、
前記高周波フィルタに連結され、電圧値又は電流値を測定する第１損失測定手段と、
前記送電端と受電端を連結する送電線路と、
前記受電端に構成され、前記送電線路と連結される受電端側サイリスタバルブと、
前記サイリスタバルブに連結される受電端側変圧器と、
前記受電端側変圧器と並列に連結され、前記受電端側変圧器から出力される電力の高周波成分を除去する受電端側高周波フィルタと、
前記受電端側高周波フィルタに連結され、電圧値又は電流値を測定する第２損失測定手段を含み、
前記第１及び第２損失測定手段のそれぞれは、
電圧を測定するための電圧センサと、電流を測定するための電流センサと、
前記電圧センサ及び前記電流センサによる測定が行われる時刻情報を提供するためのＧＰＳモジュールと、
前記電圧センサによって測定された電圧値と前記電流センサによって測定された電流値と前記時刻情報と前記第１及び第２損失測定手段を区分する識別情報と一緒に貯蔵される貯蔵部と、
メイン制御手段とデータ通信を可能にする通信モジュールと、
を含み、
前記メイン制御手段は、前記第１及び第２損失測定手段の識別情報を有し、
前記第１及び第２損失測定手段は、前記通信モジュールを利用して周期的に測定される電流値及び電圧値と一緒に前記時刻情報を前記メイン制御手段に伝送するＨＶＤＣの損失測定システム。
【請求項７】
前記送電端側高周波フィルタに連結されてスイッチングの役割をする送電端側フィルタ開閉器と、
前記受電端側高周波フィルタに連結されてスイッチングの役割をする受電端側フィルタ開閉器を更に含み、
前記第１損失測定手段は前記送電端側高周波フィルタ及びフィルタ開閉器の両側に構成される請求項６に記載のＨＶＤＣ損失測定システム。
【請求項８】
前記第２損失測定手段は前記受電端側高周波フィルタ及びフィルタ開閉器の両側に構成される、請求項７に記載のＨＶＤＣの損失測定システム。
【請求項９】
前記受電端と送電端を連結し、グランド電圧が印加されるグランド線路と、
前記送電線路及びグランド線路にそれぞれ連結される第１及び第２損失測定手段を更に含み、
前記第１損失測定手段は送電端サイリスタバルブ側に設けられ、前記第２損失測定手段は受電端サイリスタバルブ側に設けられる、請求項７に記載のＨＶＤＣの損失測定システム。
【発明の詳細な説明】
【技術分野】
【０００１】
本発明はＨＶＤＣシステムに関するものであり、特にＨＶＤＣでの電力損失をより正確に測定及び監視するシステムに関するものである。
【背景技術】
【０００２】
ＨＶＤＣ（Ｈｉｇｈ  Ｖｏｌｔａｇｅ  Ｄｉｒｅｃｔ  Ｃｕｒｒｅｎｔ）送電とは、遠隔地に電力を送電するに当たって、電力損失を最小化して送電効率を上げるための技術である。ＨＶＤＣは最近海南−済州間の電力送電に使用されており、そのために各地域にＨＶＤＣ変換所を設置して運営している。
【０００３】
また、ＨＶＤＣ送電方式は従来のＡＣ送電方式に比べ損失が少ないため長距離で大容量の電力輸送が容易で、絶縁階級を下げることができるため経済的に有利であり、送電効率を上げることができ、安定度を向上することができる。
【０００４】
しかし、ＨＶＤＣで送電するためには高電圧整流バルブを初めインバータ、コンバータ及び無効電力制御のための制御設備など初期投資費用が多くかかるため、それについても多くの研究が進められている。
【０００５】
図１は、従来のＨＶＤＣシステムが連携されたＡＣ系統を示すである。
【０００６】
図１に示したように、ＨＶＤＣシステムと連携されたＡＣ系統の無効電力を保障するためにフィルタ１１やキャパシタ１２が構成されることが一般的である。過度状態で無効電力を保障する場合にはコンデンサバンク１３、静止型無効電力補償器１４や静止型同期調相機（ＳＴＡＴＣＯＭ：Ｓｔａｔｉｃ  Ｓｙｎｃｈｒｏｎｏｕｓ  Ｃｏｍｐｅｎｓａｔｏｒ）１５又は同期調相機１６をＨＶＤＣシステムが連携されたＡＣ系統の母線に連携して制御している。
【０００７】
このような構造を介して無効電力補償などの効率的なシステム動作を具現しようとする努力があるが、未だにＨＶＤＣシステムの電力効率を正確に判断／検出する装置が提供されていない。
【０００８】
即ち、実際に構築されたＨＶＤＣシステムを評価する方法、ＨＶＤＣの送電側と受電側との間の損失（ｌｏｓｓ）割合を正確に判断するシステムが構築されていない状態である。
【０００９】
ＨＶＤＣシステムは電圧及び電流を変換し、系統網に連携されて送電端から受電端に電力を供給するシステムであるため、システムの構築が完了されるとシステムの完成度や性能が評価される必要がある。
【００１０】
即ち、損失と可用率はシステムの性能と完成度の側面で重要な要素として考慮される。需用家（負荷）で必要なだけの電力を送電端から供給するためには、送電端と受電端との間の送電過程で電力の変換、送電線の長さの増加、環境要素の影響などによって電力損失が必然的に発生する。この際、発生する損失分が大きければ送電に関わるシステムの性能及び効率が低くなることはもちろんである。
【００１１】
ＨＶＤＣシステムは送電のために特化された電力送電システムのうち一つであり、システムの構築が完了されるとシステムで発生する損失を測定して性能基準に符合するシステムであるのかを判断する過程が必要である。
【発明の概要】
【発明が解決しようとする課題】
【００１２】
本発明はＨＶＤＣに対する送電端と受電端との間の電力損失をより正確に測定するシステムを提案し、特に本実施例の損失測定手段がＨＶＤＣで測定しようとする位置に自由に設置され、それぞれの損失測定手段の測定時刻を一致することができるため、正確な時刻に望みの地点の電力損失を正確に測定することができるシステムを提案する。
【課題を解決するための手段】
【００１３】
本実施例のＨＶＤＣシステムの損失測定システムはＨＶＤＣ内での送電端と受電端側の電力損失を測定するためのシステムであって、送電端側に構成される第１損失測定手段と、受電端側に構成される第２損失測定手段を含み、前記第１及び第２損失測定手段はＨＶＤＣ内で電流及び電圧を測定可能な位置に装着され、電圧を測定するための電圧センサと、電流を測定するための電流センサと、前記電圧センサ及び電流センサによる測定が行われる時刻情報を提供するためのＧＰＳモジュールと、前記電圧センサと電流センサによって測定された電圧値及び電流値と共に前記時刻情報が一緒に貯蔵される貯蔵部を含む。
【００１４】
そして、前記第１及び第２損失測定手段はユーザの要請又は周期的に測定される電流値及び電圧値を前記時刻情報と一緒に貯蔵する。
【００１５】
そして、前記第１及び第２損失測定手段はそれぞれの損失測定手段を区分する識別情報も一緒に貯蔵する。
【００１６】
また、前記第１及び第２損失測定手段は外部機器とのデータ通信を可能にする通信モジュールを更に含み、前記第１及び第２損失測定手段は前記通信モジュールを利用してユーザの要請又は周期的に測定される電流値及び電圧値共に測定した時刻情報を外部に伝送する。
【発明の効果】
【００１７】
本発明の実施例によってＨＶＤＣの性能を確認することができ、これは結局ＨＶＤＣを提供する事業者とそれを利用する事業者間の性能保証を可能にする。即ち、本実施例の損失測定手段をＨＶＤＣ内に複数個設けることで損失測定手段間の経路上に電力損失が発生する位置を正確に把握することができ、損失測定手段間には互いに誤差が発生しない時刻情報を利用するため正確な電力損失値を算出することができる長所がある。
【図面の簡単な説明】
【００１８】
【図１】ＨＶＤＣシステムが連携されたＡＣ系統を示す図である。
【図２】本実施例の損失測定手段の構成を示す図である。
【図３】他の実施例の損失測定手段の構成及びシステムの構成を示す図である。
【図４】本実施例の損失測定手段がＨＶＤＣ内の様々な位置に装着される場合の実施例を示す図である。
【図５】本実施例の損失測定手段がＨＶＤＣ内の様々な位置に装着される場合の実施例を示す図である。
【図６】本実施例の損失測定手段がＨＶＤＣ内の様々な位置に装着される場合の実施例を示す図である。
【発明を実施するための形態】
【００１９】
以下、本実施例について添付した図面を参照して詳細に説明する。
図２は本実施例の損失測定手段の構成を示す図であり、図３は他の実施例の損失測定手段の構成及びシステムの構成を示す図である。
【００２０】
まず、図２を参照して本実施例の損失測定手段１００について説明する。
【００２１】
損失測定手段１００はＨＶＤＣ内で電流又は電圧が測定可能な位置に自由に設置する。そして、損失測定手段１００は送電（受電）される電力の電圧又は電流を測定するための電圧センサ１３０と電流センサ１４０を含む。前記電圧センサ１３０はＰＴ（Ｐｏｔｅｎｔｉａｌ  Ｔｒａｎｓｆｏｒｍｅｒ）であって電線に印加される電圧の大きさを測定し、前記電流センサ１４０はＣＴ（Ｃｕｒｒｅｎｔ  Ｔｒａｎｓｆｏｒｍｅｒ）であって電線を流れる電流の大きさを測定する。
【００２２】
そして、前記損失測定手段１００はＧＰＳモジュール１２０を含み、前記ＧＰＳモジュール１２０を利用して損失測定手段間の測定時刻が同期化される。即ち、それぞれの損失測定手段は内蔵されたＧＰＳモジュールを利用して電圧又は電流を測定した時刻を正確に一致させる。そして、前記ＧＰＳモジュール１２０を介して測定される時刻情報と共に、前記電圧又は電流センサ１３０，１４０によって測定された電圧値又は電流値が貯蔵される貯蔵部１５０が損失測定手段１００に構成される。
【００２３】
また、前記損失測定手段１００には各構成を制御するための制御部１１０が含まれ、前記制御部１１０はユーザの要請があるとき又は周期的に電圧センサ１３０と電流センサ１４０によって測定される電圧値と電流値を前記貯蔵部１５０に貯蔵するが、この際前記ＧＰＳモジュール１２０を介して該当測定時刻を一緒に貯蔵する。
【００２４】
結局、前記ＧＰＳモジュール１２０を利用することでそれぞれの損失測定手段は互いに測定時刻に誤差が減るようになり、これは結局測定時刻の同期化が行われるといえる。
【００２５】
一方、前記制御部１１０は損失測定手段１００が連結された電線の電圧値と電流値を測定して貯蔵部１５０に記録する際、測定時刻と共に該当損失測定手段１００の識別情報を貯蔵する。ここで、前記損失測定手段１００の識別情報はそれぞれの損失測定手段を区分するための情報となり、それぞれの損失測定手段に識別情報として固有番号を付与する。この場合、前記貯蔵部１５０には該当固有番号と測定時刻及び測定された電圧／電流値が一緒に貯蔵される。
【００２６】
図２に示した損失測定手段はそれ自体に通信機能がない場合であるといえるため、周期的に該当ラインでの電圧値と電流値を測定し、測定された値と共に同期化された測定時刻を一緒に貯蔵部１５０に貯蔵する。この場合、ユーザは他の位置の損失測定手段の貯蔵部に貯蔵されたデータと比較してもその測定時刻で互いに誤差がないため、該当損失測定手段と他の損失測定手段との間の電力差（損失）を容易に算出することができる。
【００２７】
即ち、ＨＶＤＣを提供する事業者の場合、ＨＶＤＣを使用する顧客に一定レベル以上の電力効率を補償する必要場ある。この場合、それぞれの損失測定手段に貯蔵されたデータを必要なときに確認することで、同期化された時刻での損失レベルを判断することができる。
【００２８】
一方、図３にはそれぞれの損失測定手段が通信モジュールを内蔵し、損失測定手段間でデータ通信が行われるかメイン制御手段５０を経由してデータ通信が行われる場合が示されている。即ち、図２に例示される損失測定手段でデータ通信のための通信モジュール１６０が内蔵された場合のシステム構成図が図示されている。
【００２９】
図３には第２実施例の損失測定手段１００ａが示されており、前記メイン制御手段５０又は第２損失測定手段１００ｂとネットワーク連結されるようにする通信モジュール１６０を含む。
【００３０】
この際、前記メイン制御手段５０はそれぞれの損失測定手段の位置情報又は識別情報を有しており、必要なときに又は周期的にそれぞれの損失測定手段によって測定された電圧値及び／又は電流値を伝達される。この場合、前記メイン制御手段５０は損失測定手段間の電力損失を計算することができ、電力損失の推移を正確に追跡することができるようになる。
【００３１】
しかし、本発明の実施例の損失測定手段は必ずしも通信モジュールを含むべきではなく、ユーザの要請があるとき又は周期的に測定される電圧値と電流値が貯蔵部１５０に記録されるため、同じ時刻での他の損失測定手段の値と比較及び演算する過程を介して電力損失などを追跡することができる。
【００３２】
図４〜図６は、本実施例の損失測定手段がＨＶＤＣ内の様々な位置に装着される場合の実施例である。
【００３３】
まず、図４を参照してＨＶＤＣの構成を説明すると、送電端と受電端の各構成は互いに対応するように設けられ、送電端の場合、スイッチの役割をする送電端側変圧器開閉器（Ｇａｓ  Ｉｎｓｕｌａｔｅｄ  Ｓｗｉｔｃｈ  ｇｅａｒ（ＧＩＳ））２１０と、ターン（ｔｕｒｎ）比に応じて電圧を変圧するための送電端側変圧器２２０と、電力変換素子として送電端にはＡＣをＤＣに変換するための送電端側サイリスタバルブ２３０を含む。そして、送電端と受電端を連結する送電線路２４０が含まれる。例えば、図４のようにスイッチング素子である開閉器に損失測定手段を装着する場合、同じ送電線路２４０に連結される変圧器開閉器２１０，２１１に第１損失測定手段１０１と第２損失測定手段１０２を装着する。
【００３４】
即ち、第１損失測定手段１０１は送電端側変圧器開閉器２１０の入力端に連結され、第２損失測定手段１０２は受電端側変圧器開閉器２１１の出力端に連結される。この場合、同じ送電線路２４０で変圧器開閉器２１０，２１１間の電力損失を測定するために前記第１及び第２損失測定手段１０１，１０２を装着した場合であるといえる。
【００３５】
前記第１損失測定手段１０１は送電端側変圧器開閉器２１０に伝達される電力の電圧値と電流値を測定し、第２損失側測定手段１０２は受電端側変圧器開閉器２１１から出力される電力の電圧値と電流値を測定する。前記第１及び第２損失測定手段１０１，１０２の測定電力を比較することで、前記送電端側変圧器開閉器２１０と受電端側変圧器開閉器２１１間の電力損失を測定することができる。
【００３６】
そして、ユーザは図４に示したような位置に損失測定手段を構成することができる。この場合、送電端側と受電端側の開閉器間での電力損失を測定することができる。そして、開閉器間に追加に損失測定手段を更に一対装着することで、どの構成要素によって損失が主に発生するのかを把握することもできる。
【００３７】
図５は、本実施例の損失測定手段が送電端と受電端の高周波フィルタ側に装着される場合を例示している。
【００３８】
図５を参照すると、ＨＶＤＣはフィルタ開閉器３１１，３１２を含み、フィルタ開閉器それぞれに損失測定手段が連結される。
【００３９】
フィルタ開閉器は送電端側フィルタ開閉器３１１と受電端側フィルタ開閉器３１２を含む。そして、電力の高周波成分を除去するための高周波フィルタ３１２，３２２が変圧器２２０，２２１にそれぞれ並列に連結される。
【００４０】
例えば、送電端側高周波フィルタ３２１は送電端側変圧器２２０と並列に連結され、受電端側高周波フィルタ３２２は受電端側変圧器２２１と並列に連結される。そして、それぞれの高周波フィルタにはスイッチングの役割をするフィルタ開閉器３１１，３１２が設けられる。例えば、送電端側高周波フィルタ３２１の入力端には送電端側フィルタ開閉器３１１が連結される。受電端側高周波フィルタ３２２の場合にもフィルタ開閉器３１２が連結される。
【００４１】
そして、高周波フィルタとフィルタ開閉器の両側にそれぞれ損失測定手段１０５を装着する場合、高周波フィルタとフィルタ開閉器での損失量も同期化された時間で測定及び確認することができる。
【００４２】
そして、同じ時刻に送電端の特定位置と受電端の対応位置との間の損失量も確認することができる。
【００４３】
本実施例の測定手段はＨＶＤＣ内で電力損失を把握するために送電端と受電端の対応する構成要素に設けることで、該当位置の間での電力損失を把握することができる。
【００４４】
このような趣旨で、図６のように送電線路での電力損失を測定するために損失測定手段が送電線路の上に複数個設けられることもできる。図６のようにＨＶＤＣが２つのポール（ｐｏｌｅ）で形成される場合、第１送電線路２４０と第２送電線路２４１及びレファランスのグランド電圧と連結されたグランド線路２４２の間に損失測定手段が設けられる。
【００４５】
例えば、第１損失測定手段１０９ａは第１送電線路２４０とグランド線路２４２に連結されながら送電端側サイリスタバルブ２３０に近く装着され、第２損失測定手段１０９ｂは第１送電線路２４０とグランド線路２４２に連結されながら受電端側サイリスタバルブ２３０に近く装着される。
【００４６】
この場合、前記第１損失測定手段１０９ａと第２損失測定手段１０９ｂによって測定される電圧値と電流値から計算される値を比較することで送電線路上での損失を検出することができ、それから電力損失の主な原因が正確にどこであるのかを把握することができる。
【００４７】
上述したような本発明の実施例によってＨＶＤＣの性能を確認することができ、これは結局ＨＶＤＣを提供する事業者とそれを利用する事業者間の性能補償を可能にする。即ち、本実施例の損失測定手段をＨＶＤＣ内に複数個設けることで、損失測定手段間の経路上に電力損失が発生する位置を正確に把握することができ、損失測定手段間には互いに誤差が発生しない時刻情報を利用するため正確な電力損失値を算出することができる長所がある。
【符号の説明】
【００４８】
５０    メイン制御手段
１００、１００ａ、１０５    損失測定手段
１００ｂ    第２損失測定手段
１０１、１０９ａ    第１損失測定手段
１０２、１０９ｂ    第２損失測定手段
１１０    制御部
１２０    ＧＰＳモジュール
１３０    電圧センサ
１４０    電流センサ
１５０    貯蔵部
１６０    通信モジュール
２１０    送電端側変圧器開閉器
２１１    受電端側変圧器開閉器
２２０    送電端側変圧器
２２１    受電端側変圧器
２３０    送電端側サイリスタバルブ
２４０    第１送電線路
２４１    第２送電線路
２４２    グランド線路
３１１    送電端側フィルタ開閉器
３１２    受電端側フィルタ開閉器
３２１    送電端側高周波フィルタ
３２２    受電端側高周波フィルタ
【図１】
0006034437.tif 000002
【図２】
0006034437.tif 000003
【図３】
0006034437.tif 000004
【図４】
0006034437.tif 000005
【図５】
0006034437.tif 000006
【図６】
0006034437.tif 000007